(57)【要約】【課題】ダッシュボード上に配置される車両用表示装置であって、簡易な構成で、かつ設置態様の自由度が高い車両用表示装置の構成を提供することを目的とする。【解決手段】ダッシュボード上に設置される車両用表示装置であって、フロントガラスとダッシュボードとの境界部に沿って配置され、第１の情報を表示する第１の表示ユニットと、前記第１の表示ユニットに並設され、第２の情報を表示する第２の表示ユニットと、前記第１の表示ユニット及び前記第２の表示ユニットに接続可能なコネクタを複数個備え、前記第１の表示ユニットと前記第２の表示ユニットの表示状態を制御する制御部と、を備え、前記第１の表示ユニットと前記第２の表示ユニットとが交換可能に設置される、車両用表示装置。【選択図】  図１
2010230967.tif 000002
【特許請求の範囲】
【請求項１】
ダッシュボード上に設置される車両用表示装置であって、
フロントガラスとダッシュボードとの境界部に沿って配置され、第１の情報を表示する第１の表示ユニットと、
前記第１の表示ユニットに並設され、第２の情報を表示する第２の表示ユニットと、
前記第１の表示ユニット及び前記第２の表示ユニットに接続可能なコネクタを複数個備え、前記第１の表示ユニットと前記第２の表示ユニットの表示状態を制御する制御部と、
を備え、
前記第１の表示ユニットと前記第２の表示ユニットとが交換可能に設置される、車両用表示装置。
【請求項２】
前記第１の表示ユニットと前記第２の表示ユニットは前記ダッシュボードに設けられるデフロスター排気口よりもフロントガラス側に設けられる、請求項１に記載の車両用表示装置。
【請求項３】
周囲環境の輝度を検出する輝度センサーを備え、前記制御部は該輝度センサーの検出結果に基づいて前記第１の表示ユニット及び前記第２の表示ユニットの表示パターンを変更する、請求項１又は２に記載の車両用表示装置。
【発明の詳細な説明】
【技術分野】
【０００１】
本発明は車両用の表示装置に関する。
【背景技術】
【０００２】
スピードメーター、タコメーター、燃料計、水温計などの車両情報の表示部は、通常、車両のインストルメンタルパネルに設けられるが、ダッシュボード上に表示部を配置してなる表示装置が特許文献１〜３に開示されている。特許文献１に開示の構成では、ダッシュボード上に設けたディスプレイパネルに車両情報を表示し、周囲の明るさに応じてディスプレイパネルのポジ表示とネガ表示を切り替える。特許文献２に開示の構成では、ダッシュボード上に車両情報を表示するディスプレイパネルを設けるとともに、ステアリングホイールの形状を楕円形とするなどして、ディスプレイパネルの配置態様を調整して視認性を高める。特許文献３に開示の構成では、ダッシュボード内に設けられた投射装置によりフロントガラスに光を投射して虚像を投影し、当該虚像により車両情報を表示する。
【先行技術文献】
【特許文献】
【０００３】
【特許文献１】特開平１１−２１２４９０号公報
【特許文献２】特開２０００−１６８４０３号公報
【特許文献３】特開２００７−８６２２６号公報
【発明の概要】
【発明が解決しようとする課題】
【０００４】
特許文献１、２の構成は構成が複雑であるとともに、ディスプレイパネルがダッシュボード上に固定されるため、設置態様の自由度が小さい。特許文献３の構成では、装置が複雑なため、組み付け作業が煩雑となる。また、コスト面で不利である。
そこで、本発明はダッシュボード上に配置される車両用表示装置であって、簡易な構成で、かつ設置態様の自由度が高い車両用表示装置の構成を提供することを目的とする。
【課題を解決するための手段】
【０００５】
ダッシュボード上に設置される車両用表示装置であって、
フロントガラスとダッシュボードとの境界部に沿って配置され、第１の情報を表示する第１の表示ユニットと、
前記第１の表示ユニットに並設され、第２の情報を表示する第２の表示ユニットと、
前記第１の表示ユニット及び前記第２の表示ユニットに接続可能なコネクタを複数個備え、前記第１の表示ユニットと前記第２の表示ユニットの表示状態を制御する制御部と、
を備え、
前記第１の表示ユニットと前記第２の表示ユニットとが交換可能に設置される、車両用表示装置である。
【発明の効果】
【０００６】
本発明の車両用表示装置によれば、制御部が第１の表示ユニット及び第２の表示ユニットと接続可能なコネクタを複数個備えるため、第１の表示ユニットと前記第２の表示ユニットとが交換可能である。これにより、簡易な構成で、かつ設置態様の自由度が高い車両用表示装置となる。
【図面の簡単な説明】
【０００７】
【図１】車両用表示装置１を備える車両室内の斜視図である。
【図２】図１におけるＡ−Ａ線断面図である。
【図３】車両用表示装置１の表示態様を説明するブロック図である。
【発明を実施するための形態】
【０００８】
本発明の車両用表示装置は、第１の表示ユニットと第２の表示ユニットを備える。第１の表示ユニット及び第２の表示ユニットの大きさは、運転者の視界を過度に妨げない範囲であれば特に限定されない。第１の表示ユニットはフロントガラスとダッシュボードとの境界部に沿って配置され、第２の表示ユニットは第１の表示ユニットに並設される。第２の表示ユニットは、第１の表示ユニットと同様にフロントガラスとダッシュボードとの境界部に沿って配置しても良いことはもちろん、運転者の視界を過度に妨げない範囲で、第１の表示ユニットの上に配置しても良い。第１の表示ユニットは第１の情報を表示し、第２の表示ユニットは第２の情報を表示する。第１の情報及び第２の情報は、スピード、エンジン回転数、ラジエータ温度、燃料残量、平均燃費、時刻、温度（外気温度、車室内温度）、走行距離、方向指示器の点灯状態、シフトレバーのシフト位置、ワイパーの稼働状態、ナビシステムと連動したナビ情報、カーステレオの稼働状態などから任意に選択できる。これらの中から複数の情報を組み合わせて第１の情報及び第２の情報としてもよい。
【０００９】
本発明の車両用表示装置は、第１の表示ユニットと第２の表示ユニットの表示状態を制御する制御部を備える。制御部は、第１の表示ユニット及び第２の表示ユニットと接続可能なコネクタを複数個備える。これにより、第１の表示ユニットと第２の表示ユニットは交換可能に取り付けることができる。当該複数個のコネクタは同一形状であって、当該複数個のコネクタはいずれも第１の情報及び第２の情報を伝達可能であることが好ましい。制御部においてコネクタごとに送信する情報を選択する必要がないため、制御部の構成を簡略化できるからである。これに対応して、第１の表示ユニット及び第２の表示ユニットは制御部のいずれのコネクタとも接続可能であるが、第１の表示ユニットは第１の情報のみを受信し、第２の表示ユニットは第２の情報のみを受信することとする。
【００１０】
第１の表示ユニットと第２の表示ユニットは、ダッシュボードに備えられるデフロスターの排気口よりもフロントガラス側に設けることが好ましい。第１の表示ユニットと第２の表示ユニットがデフロスターの排気を妨げることが防止されるとともに、当該デフロスターにより、第１の表示ユニットと第２の表示ユニットに対する結露を除去・防止できるからである。
【００１１】
本発明の車両用表示装置は第１の表示ユニット、第２の表示ユニットに加えて、第３の表示ユニット及び第４の表示ユニットを備えていてもよい。第３の表示ユニット及び第４の表示ユニットの構成は第２の表示ユニットと同様の構成であってよい。
以下、この発明の実施例について、図を参照しながら説明をする。
【実施例１】
【００１２】
本発明の車両用表示装置１を備える車両室内の斜視図を図１に示す。図１に示すように、車両用表示装置１は、第１の表示ユニット１０ａ、第２の表示ユニット１０ｂ、第３の表示ユニット１０ｃ及び第４の表示ユニット１０ｄを備える。各表示ユニット１０ａ〜ｄの形状は長さ約５０ｍｍ、幅約２０ｍｍの棒状であって、その長さ方向がフロントガラス２とダッシュボード３の接続部４の連続方向と略平行となるように、接続部４に沿って配列して、デフロスター排気部３０よりもフロントガラス２側に設けられている。ダッシュボード３のインパネ３１には各種メータが表示されている。第１の表示ユニット１０ａは速度表示部であり、第２の表示部１０ｂはタコメーターであり、第３の表示ユニット１０ｃは走行距離表示部であり、それぞれの情報を表示する。図１におけるＡ−Ａ線断面図を図２に示す。図２に示すように第１の表示ユニット１０ａは、コネクタ１１ａ、ＬＥＤランプ１２ａ及び基板１３ａが、表示板１４ａとケース１５ａに収納されてなる。コネクタ１１ａはケース１５ａの背面に表出して、後述のコネクタ５１ａに接続されており、後述の制御部５によりその表示状態が制御される。ＬＥＤランプ１２ａはＣＯＢ型の高輝度白色ＬＥＤランプであって、基板１３ａに実装されており、車両室内側に設けられる表示板１４ａに対向するように設置される。表示板１４ａはアクリル製であって、ＬＥＤランプ１２ａに対向する側の面には、２個の７セグメント表示、１個の２セグメント表示及び文字表示からなる表示形状が、黒色インクの印刷により形成されている。なお、ＬＥＤランプ１２ａは当該表示形状に応じて、１７個数備えられる。第２の表示ユニット１０ｂ及び第３の表示ユニット１０ｃは、それぞれの表示形状に応じて所定個数のＬＥＤランプを備えるとともに、他の構成は第１の表示ユニット１０ａと同様となっている。一方、第４の表示ユニット１０ｄはダミーユニットであって、コネクタ、ＬＥＤランプ及び基板を備えず、表示板の車両室内側の面に情報を表示しない。
【００１３】
図３に車両用表示装置１の表示態様を説明するブロック図を示す。図３に示すように、車両用表示装置１は各表示ユニット１０ａ〜ｃ、制御部５、光センサー６を備える。各表示ユニット１０ａ〜ｃはコネクタ１１ａ、１１ｂ、１１ｃをそれぞれ備える。制御部５は制御回路５０と４つのコネクタ５１ａを備える。４つのコネクタ５１ａは全て同一の形状である。コネクタ１１ａ〜ｃは各表示ユニット１０ａ〜ｃにそれぞれ接続される。光センサー６は車両外部の明るさを検出するものであって、制御回路５０に接続される。制御回路５０は車両本体から速度情報、エンジン回転数情報、走行距離情報を取得し、コネクタ５１ａ及びコネクタ１１ａ〜ｃを介して各表示ユニット１０ａ〜ｃに送信する。各表示ユニット１０ａ〜ｃのコネクタ１１ａ〜ｃの形状は同一であるが、その端子部はそれぞれの各表示ユニット１０ａ〜ｃが表示可能な情報のみ受信するように形成されており、表示しない情報は受信しない。即ち、コネクタ５１ａには速度情報、エンジン回転数情報、走行距離情報の全てが伝搬されるが、コネクタ１１ａは速度情報のみを受信して、第１の表示ユニット１０ａは速度情報を表示する。このように、各表示ユニット１０ａ〜ｃのコネクタ１１ａ〜ｃの形状は同一であるが、その端子部はそれぞれの各表示ユニット１０ａ〜ｃが表示可能な情報のみ受信するように形成されているため、各表示ユニット１０ａ〜ｃは交換可能に配置することができ、ユーザーが所望の態様でこれらを配置できる。また、ユーザーは各表示ユニット１０ａ〜ｃを設置するか否かを個別に選択することができる。各表示ユニット１０ａ〜ｃのうち、いずれかを設置しない場合には、ダミーユニットである第４の表示部１０ｄを替わりに配置してもよい。このように、車両用表示装置１は各表示ユニット１０ａ〜ｄの設置自由度が高く、ユーザーが所望の態様でこれらを設置することができる。
【００１４】
車両用表示装置１は、光センサー６により車両外部の明るさを検出して、制御回路５０を介して各表示ユニット１０ａ〜ｃの輝度を制御する。車両用表示装置１の各表示ユニット１０ａ〜ｃは光源としてＣＯＢ型の高輝度ＬＥＤランプを備えるため、高輝度で各情報を表示することができる。これにより、昼間など車両外部が明るい場合は表示ユニット１０ａ〜ｃの輝度を高くして、表示情報を視認し易くする。一方、夜間など車両外部が暗い場合は表示ユニット１０ａ〜ｃの輝度を低くして、運転者にまぶしさを与えることが防止される。車両用表示装置１では、光センサー６により取得した車両外部の明るさに基づいて表示ユニット１０ａ〜ｃの輝度を調整することとしたが、これに替えて、車両のヘッドランプ及び車幅灯の点灯状態と連動させても良い。例えば、車両のヘッドランプ及び車幅灯がいずれも消灯している状態（第１の状態）では、表示ユニット１０ａ〜ｃの輝度を高くし、ヘッドランプが消灯しており車幅灯が点灯している状態（第２の状態）では、第１の状態よりも表示ユニット１０ａ〜ｃの輝度を低くし、ヘッドランプ及び車幅灯が点灯している状態（第３の状態）では、第２の状態よりも表示ユニット１０ａ〜ｃの輝度を低くする。これにより、視認性が高まるとともに運転者にまぶしさを与えることが防止される。なお、車両用表示装置１の各表示ユニット１０ａ〜ｃの光源はＣＯＢ型の他、基板上に通常のＬＥＤランプを配置してもよい。
【００１５】
車両用表示装置１の各表示ユニット１０ａ〜ｃは接続部４に沿って設けられるため、インパネ３１に比べて、運転者から遠い位置に設けられることとなる。これにより、運転者は運転中に表示ユニット１０ａ〜ｃを視認する際に視線の移動が少なくて済み、これらの視認性が高くなる。さらに、車両用表示装置１は小型に形成されるため、設置スペースが少なく済む。また、車両用表示装置１はダッシュボード３の上に各表示ユニット１０ａ〜ｄを配置してなるものであるため、既存の車両に設置することが容易である。また、車両用表示装置１の両端側（符号４０で示す領域）に、車両用表示装置１と連続する黒色パネルを設けて、ダッシュボード３と一体的な見映えとなるようにしてもよい。また、車両用表示装置１の各表示ユニット１０ａ〜ｄはデフロスター３１よりもフロントガラス２側に設けられる。これにより、フロントガラス２用のデフロスターにより、各表示ユニット１０ａ〜ｄの結露を除去・防止できるため、車両用表示装置１用のデフロスターを別途設ける必要がなく、部品点数が削減される。
【産業上の利用可能性】
【００１６】
本発明の車両用表示装置は、様々な車両の表示装置として利用することができる。
【符号の説明】
【００１７】
１  車両用表示装置
１０ａ  第１の表示ユニット
１０ｂ  第２の表示ユニット
１０ｃ  第３の表示ユニット
１０ｄ  第４の表示ユニット
２  フロントガラス
３  ダッシュボード
３０  デフロスター排気口
３１  インパネ
４  接続部
５  制御部
５０  制御回路
５１ａ、コネクタ
６  光センサー
【図１】
2010230967.tif 000003
【図２】
2010230967.tif 000004
【図３】
2010230967.tif 000005